【事件の表示】
　特願２０１３−２６９３８８「遊技機」拒絶査定不服審判事件〔平成２６年　８月　７日出願公開、特開２０１４−１４０６８５〕について、次のとおり審決する。
【結　論】
　本件審判の請求は、成り立たない。
【理　由】
第１　手続の経緯
　本願は、平成１６年８月１８日を出願日とする特願２００４−２３８１９０号の一部を平成２３年４月８日に新たな特許出願である特願２０１１−９１８８８号とし、その一部を平成２４年５月２８日に新たに特許出願である特願２０１２−１２０７８７号とし、さらにその一部を平成２５年１２月２６日に新たな特許出願としたものであって、平成２６年１１月１２日付けで拒絶理由通知がなされ、平成２７年１月１６日付けで意見書及び手続補正書が提出され、平成２７年９月２日付けで拒絶理由通知がなされ、平成２７年１１月５日付けで意見書が提出され、平成２８年５月６日付け（発送日：平成２８年５月１０日）で拒絶査定がなされ、これに対して平成２８年８月５日に拒絶査定不服審判が請求されるとともに手続補正がなされ、これに対して平成２８年１０月２６日付けで前置報告がなされたものである。
第２　平成２８年８月５日付けの手続補正についての補正却下の決定
　
［補正却下の決定の結論］
　平成２８年８月５日付けの手続補正（以下、本件補正という）を却下する。
［理由］
　１．本件補正の概要
　本件補正は特許請求の範囲の請求項１の記載の補正を含む補正であり、本件補正により、特許請求の範囲の請求項１の記載は、
　補正前（平成２７年１月１６日付け手続補正）の
「【請求項１】
　識別情報が表示される表示部を備える遊技機において、
　前記表示部の奥側を透過し易い第１状態と、当該第１状態よりも前記表示部の奥側を透過し難い第２状態とを生じさせる透過手段と、
　該透過手段によって前記第１状態とされた場合に、所定期間前記表示部の奥側にて所定の演出を行い、前記所定の演出が終了される場合に、前記所定期間の終了時まで行われている前記所定の演出を終了させるとともに前記透過手段が生じさせた前記第１状態を前記第２状態に切り替えることで、前記表示部に前記識別情報を表示させる手段と、を備える
　ことを特徴とする遊技機。」
から、
　補正後（本件補正である平成２８年８月５日付け手続補正）の
「【請求項１】
Ａ　識別情報が表示される表示部を備える遊技機において、
Ｂ　前記表示部の奥側を透過し易い第１状態と、当該第１状態よりも前記表示部の奥側を透過し難い第２状態とを生じさせる透過手段と、
Ｃ　該透過手段によって前記第１状態とされた場合に、
予め定められた
　ことを特徴とする遊技機。」
へ補正された（分説するため記号Ａ−Ｃは当審で付した。下線は補正箇所を示す）。
　２．補正の適否
　上記補正事項は、補正前の請求項１における「前記表示部の奥側にて所定の演出を行」う「所定期間」を、「
予め定められた
　また、補正後の請求項１に記載された発明は、補正前の請求項１に記載された発明と、産業上の利用分野及び解決しようとする課題が同一である。 
　よって、本件補正は、特許法第１７条の２第５項第２号に規定する限定的減縮を目的とするものに該当する。
　
　そして、本件補正は新規事項を追加するものではない。
　
　３．独立特許要件
　本件補正後の請求項１に記載された発明（以下「本件補正発明」という。）が特許出願の際独立して特許を受けることができるものであるか否か（特許法第１７条の２第６項において準用する同法第１２６条第７項の規定に適合するか）について以下に検討する。
　（１）原査定の拒絶の理由において提示された、本願の出願遡及日以前に頒布された特開２００４−１０５２９６号公報には以下の記載がある。（下線は合議体が審決にて付した。以下、同じ）
　（ア）　「【００２６】
本実施形態に示す
遊技機１は
表枠４と
を備え
　（イ）　「【００３５】
遊技盤６
表枠４の裏面側に形成された遊技盤収納枠
に収納固定され
前面に
遊技領域
が構成されている
【００３６】
遊技領域には、遊技盤６上に打ち出された遊技球の落下停留を変化させる釘２３や風車２４等の障害物１４、遊技球を受け入れる複数の入賞装置１５、遊技機１の最下方に設けられ入賞装置１５に入らなかった遊技球を遊技領域外に排出するアウト口１６、を備えている。また、
遊技領域の略中央には、種々の図柄を演出を交えて変動表示および停止表示させる図柄表示装置１７が設けられて
【００３９】
また、本実施の形態に示す
遊技機１では
図柄表示装置１７の背後に
大入賞装置１００を設置し
　（ウ）　「【００６２】
また、本実施の形態では、
図柄表示装置１７として
【００６３】
この表示装置は
ＥＬガラス２００
を備え
【００７０】
そして、本実施の形態では、この
ＥＬガラス２００を透かす等の制御を図柄制御装置６１にて実行し、図柄表示装置１７背後に隠蔽された大入賞装置１００内を遊技領域内において見え隠れさせている
　（エ）　「【００７１】
続いて、
遊技機１の制御系
について
まず、
図６のブロック図を参照して、主制御装置６０および各種副制御装置
副制御装置とは、
図柄制御装置６１
　（オ）　「［大入賞領域制御処理］
【０１０４】
まず、主制御装置６０は、特別図柄制御処理（Ｓ１０５）等で得られる遊技に係る進行状態を示す情報に基づき、通常大当り状態、確率変動付き大当り状態等、有利な遊技状態に当選しているか否かを検知する（Ｓ２０１）。続いて、
主制御装置６０は、有利な遊技状態の当選を受け、図柄表示装置１７の透過処理を行
Ｓ２０２
【０１０５】
また、上記で「
透過処理
ＥＬガラス２００を透かす処理
であり
ＥＬガラス２００越しに大入賞装置１００にて構成される遊技球処理部材に基づく遊技球の処理が把握可能になる
【０１０６】
より詳細には、
図柄制御装置６１にて
ＥＬガラス２００の透明度を高める
　（カ）「【０１０８】
続いて、
主制御装置６０は、遊技球振分処理（可動片動作処理）
シーソー動作制御処理
を大入賞装置１００用の制御装置に実行させるための制御信号を出力し
Ｓ２０４
【０１０９】
まず、遊技球振分処理では、大入賞装置１００の第１通過口１０５に設けられた可動片１０６を操作するソレノイドに対して電源を供給し、可動片１０６を作動させる。すなわち、
遊技球振分処理では
第１通過口１０５を開放する
【０１１０】
また、
シーソー動作制御処理では、大入賞装置１００内に設けられた入賞振分可動板１１０を
作動させる
　（キ）「【０１１１】
続いて、
主制御装置６０は
遊技球の通過が確認されたときには、
賞球の払い出しを指示する（Ｓ２０６）
【０１１２】
また、主制御装置６０は、上記入力管理処理（Ｓ１０２）にて把握する第２検知センサの出力信号を読み込み、入賞口１２１に遊技球が入ったか否かを検知する（Ｓ２０７）。また、入賞口１２１に遊技球が入ったときには、払出制御処理において払出装置６６に賞球の払い出しを指示する（Ｓ２０８）。
【０１１３】
続いて、
主制御装置６０は、
賞球の払い出しを受けてその賞球の払出数をカウントするカウンタチェック処理を開始し
カウント数が設定値に達したことを受け
第１通過口１０５を閉鎖
【０１１４】
そして、主制御装置６０は、可動片１０６の停止処理後、
大入賞装置１００内の遊技球が検知センサの情報に基づいて全て処理を終了させたとなったらＥＬガラス２００の透過戻し処理を図柄制御装置６１を介して実行する（Ｓ２１２）
透過戻し処理
透明度が高まったＥＬガラス２００に再び画像を表示
透過戻し処理にて大入賞装置１００を図柄表示装置１７の後方に隠蔽する
　（ク）　（オ）の記載事項から、刊行物には「主制御装置６０は、有利な遊技状態の当選を受け、図柄制御装置６１にてＥＬガラス２００の透明度を高める透過処理を行い（Ｓ２０２）、ＥＬガラス２００越しに大入賞装置１００にて構成される遊技球処理部材に基づく遊技球の処理を把握可能とし」ていることが記載されているものといえる。
　また（カ）の記載事項から、刊行物には「主制御装置６０は」、「遊技球振分処理で第１通過口１０５を開放」していること、及び、「大入賞装置１００内に設けられた入賞振分可動板１１０を作動させ」ることが記載されているものといえる。
　ここで、「大入賞装置１００内に設けられた入賞振分可動板１１０」は「大入賞装置１００にて構成される遊技球処理部材」の一種であるといえるから、刊行物には「主制御装置６０は、有利な遊技状態の当選を受け、図柄制御装置６１にてＥＬガラス２００の透明度を高める透過処理を行い（Ｓ２０２）、ＥＬガラス２００越しに大入賞装置１００にて構成される入賞振分可動板１１０の処理を把握可能とし、第１通過口１０５を開放し」ていることが記載されているものと認められる。
　（ケ）　さらに、【図６】から主制御装置という矩形領域に数字６０が、図柄制御装置６１という矩形領域に数字６１があることが看取できることから、遊技機１が主制御装置６０及び図柄制御装置６１を備えることは明らかである。
　上記（ア）〜（キ）の記載事項及び（ク）（ケ）の認定事項から、上記刊行物には、
「ａ　表枠４を備え、表枠４の裏面側に形成された遊技盤収納枠に収納固定された遊技盤６の前面に構成された遊技領域の略中央に設けられ、種々の図柄を演出を交えて変動表示及び停止表示させる図柄表示装置１７と、図柄表示装置１７の背後に大入賞装置１００を設置している遊技機１（記載事項（ア）、（イ））において、
ｂ　図柄表示装置１７に備えられたＥＬガラス２００を透かす等の制御を実行し、図柄表示装置１７背後に隠蔽された大入賞装置１００内を遊技領域内において見え隠れさせている図柄制御装置６１と（記載事項（ウ））、
ｃ　有利な遊技状態の当選を受け、図柄制御装置６１にてＥＬガラス２００の透明度を高める透過処理を行い（Ｓ２０２）、ＥＬガラス２００越しに大入賞装置１００にて構成される入賞振分可動板１１０の処理を把握可能とし、第１通過口１０５を開放し（認定事項（ク））、賞球の払出数をカウントするカウンタチェック処理を開始し（Ｓ２０９）、カウント数が設定値に達したことを受け（Ｓ２１０）、第１通過口１０５を閉鎖し、大入賞装置１００内の遊技球が検知センサの情報に基づいて全て処理を終了させたとなったら、透明度が高まったＥＬガラス２００に再び画像を表示するＥＬガラス２００の透過戻し処理を図柄制御装置６１を介して実行し（Ｓ２１２）、大入賞装置１００を図柄表示装置１７の後方に隠蔽する、主制御装置６０を備える（記載事項（キ））、
遊技機１」
という発明（以下、刊行物記載の発明という）が記載されているものと認める（記号ａ−ｃは分説して本件補正発明と対比するため当審で付与した）。
　（２）対比
　
　本件補正発明と刊行物記載の発明とを対比する（なお、本件補正発明の構成Ａ〜Ｃに対応して、当審で見出し（Ａ）から（Ｃ−４）を付与した）。
　（Ａ）刊行物記載の発明における「種々の図柄を演出を交えて変動表示及び停止表示させる図柄表示装置１７」は、本件補正発明の「識別情報が表示される表示部」に相当する。
　（Ｂ）刊行物記載の発明における「図柄制御装置６１」は、「図柄表示装置１７の背後に隠蔽された大入賞装置１００を見え隠れさせている」ことから、「識別情報が表示される表示部」である「図柄表示装置１７の背後」が「見える状態」と「隠れた状態」とを生じさせているものといえ、該「見える状態」「隠れた状態」が、本件補正発明の「表示部の奥側を透過し易い第１状態」「当該第１状態よりも前記表示部の奥側を透過し難い第２状態」に相当する。
　そうすると、刊行物記載の発明における「図柄制御装置６１」は、本件補正発明の「前記表示部の奥側を透過し易い第１状態と、当該第１状態よりも前記表示部の奥側を透過し難い第２状態とを生じさせる透過手段」に相当する。
　（Ｃ）刊行物記載の発明における主制御装置６０が行う処理について検討する。
　（Ｃ−１）　刊行物記載の発明における、「図柄制御装置６１にてＥＬガラス２００の透明度を高める透過処理を行」った場合は、本件補正発明の「透過手段によって、前記第１状態とされた」場合に相当する。
　（Ｃ−２）　本件補正発明の「前記表示部の奥側にて所定の演出を行」うことの一態様として、本件明細書段落【０２５７】には「「上をねらってね　よーい！　３」の表示がされている下部は、透明（図では斜線部）となり、第１図柄表示部４１４の裏側にある貯留部４０４（左側貯留部４０５および右側貯留部４０６）が見える状態となる」と記載されているから、本件補正発明の「所定の演出」とは、「第１図柄表示部の裏の貯留部４０４が見える状態」を示すものである。
　そうすると、刊行物記載の発明において、「透過処理を行」った状態で、「ＥＬガラス２００越しに大入賞装置１００にて構成される入賞振分可動板１１０の処理を把握可能とし」ているとき、図柄表示装置１７のＥＬガラス２００越しに、図柄表示装置１７の背後の入賞振分可動板１１０は見える状態であるから、本件補正発明の「前記表示部の奥側にて所定の演出を行」うことに相当する。
　（Ｃ−３）　刊行物記載の発明は、「透過処理を行」ってから「第１通過口を開放し」「遊技球の通過が確認されたときには賞球の払い出しを指示し、賞球の払出数をカウントするカウンタチェック処理を開始」して「カウント数が設定値に達したことを受け」、「第１通過口を閉鎖」し「大入賞装置１００内の遊技球が」「全て処理を終了させた」時点まで、ＥＬガラス２００越しに入賞振分可動板１１０は見える状態である。
　そうすると、刊行物記載の発明において、「透過処理を行」ってから、上記の「全て処理をさせた」時点までに経過した時間と、本件補正発明における「予め定められた所定期間」とは、「透過手段によって、前記第１状態とされた」場合に「前記表示部の奥側にて所定の演出を行」っている点で共通している。
　（Ｃ−４）　刊行物記載の発明における「ＥＬガラスの透過戻し処理を実行」した時、「大入賞装置１００を図柄表示装置１７の後方に隠蔽する」ことで、大入賞装置１００にて構成される入賞振分可動板１１０が見えなくなるが、これは本件補正発明の「所定の演出」、すなわち「第１図柄表示部の裏の貯留部４０４が見える状態」、が終了することに相当する。
　また、刊行物記載の発明における「透明度が高まったＥＬガラス２００に再び画像を表示するＥＬガラス２００の透過戻し処理を図柄制御装置６１を介して実行」することは、後方が見える状態だった図柄表示装置１７を後方が隠れた状態に切り替えて、図柄表示装置１７に画像を表示することで図柄を表示できるようにすることであるから、本件補正発明の「透過手段が生じさせた前記第１状態を前記第２状態に切り替えることで、前記表示部に前記識別情報を表示させる」ことに相当する。
　そうすると、刊行物記載の発明における「透明度が高まったＥＬガラス２００に再び画像を表示するＥＬガラス２００の透過戻し処理を図柄制御装置６１を介して実行し（Ｓ２１２）、大入賞装置１００を図柄表示装置１７の後方に隠蔽する」「主制御装置６０」は、本件補正発明の「前記所定の演出が終了される場合に」、「前記所定の演出を終了させるとともに前記透過手段が生じさせた前記第１状態を前記第２状態に切り替えることで、前記表示部に前記識別情報を表示させる手段」に相当する。
　以上のことから、本件補正発明と刊行物記載の発明は
「Ａ　識別情報が表示される表示部を備える遊技機において、
Ｂ　前記表示部の奥側を透過し易い第１状態と、当該第１状態よりも前記表示部の奥側を透過し難い第２状態とを生じさせる透過手段と、
Ｃ’　該透過手段によって前記第１状態とされた場合に、前記表示部の奥側にて所定の演出を行い、前記所定の演出が終了される場合に、前記所定の演出を終了させ、前記透過手段が生じさせた前記第１状態を前記第２状態に切り替えることで、前記表示部に前記識別情報を表示させる手段と、を備える
　ことを特徴とする遊技機。」
という点（本件補正発明の構成に合わせて記号Ａ、Ｂ、Ｃ’を当審で付与した）で一致する。
　一方、両者は以下の点で相違する。
　（相違点）
　表示部の奥側にて行う所定の演出について、本件補正発明は、予め定められた所定期間であるのに対して、刊行物記載の発明は、第１通過口１０５を開放し、賞球の払出数をカウントするカウンタチェック処理を開始し、カウント数が設定値に達したことを受け、第１通過口１０５を閉鎖し、大入賞装置１００内の遊技球が検知センサの情報に基づいて全て処理を終了するまでとした点、すなわち、大入賞装置１００の第１通過口１０５が開放されてから閉鎖されるまでの期間である点。
　（３）相違点に対する判断
　上記相違点について検討する。
　遊技機において、有利な遊技状態に当選した場合、一回分の入賞口の開放は、所定時間か、所定の入球数によって定められているのが通常である。そして、該「所定の入球数」は、一回分の入賞で払い出す賞球数と対応しており、該「所定時間」は「予め定められた期間」といえる。
　そして、刊行物記載の発明は上記「第１通過口を開放し」てから「閉鎖される」までに、賞球数が「設定値」になるまで払い出すが、その間に上記「所定の入球数」だけ入球するといえる。
　そうすると、表示部の奥側にて行う所定の演出を、刊行物記載の発明における、「第１通過口を開放し」てから「閉鎖される」まで、すなわち「所定の入球数」だけ入球するまで、行うことに替えて、上記「所定時間」、すなわち「予め定められた期間」、行うとすることで、上記相違点に係る本件補正発明の構成とすることは当業者ならば容易になしえたものである。
　また、本件補正発明の作用効果は刊行物発明及び技術常識からみて格別なものではない。 
　（４）審判請求人の主張について
　審判請求人は平成２８年８月５日付け審判請求書の（７）本願発明の請求項１と引用例との比較において、次の主張をしている。
 
「（７）本願発明の請求項１と引用例との比較 
　（７−１）相違点 
　引用例１は、少なくとも次の点で請求項１に係る発明と相違しています。 ・・・
　＜相違点１＞ 
　本願発明の構成要件（Ｃ）「該透過手段によって前記第１状態とされた場合に、予め定められた所定期間前記表示部の奥側にて所定の演出を行い、前記所定の演出が終了される場合に、前記所定期間の終了時まで行われている前記所定の演出を終了させるとともに前記透過手段が生じさせた前記第１状態を前記第２状態に切り替えることで、前記表示部に前記識別情報を表示させる手段」に相当する構成を引用例１が備えない点。
　（７−１−１）相違点１の詳細（相違点１Ａ及び相違点１Ｂ）について 
　確かに、構成要件（Ｃ）における透過手段によって第１状態とされた場合に表示部の奥側にて行われる「所定の演出」は、引用例１の図柄表示装置１７の透過処理（ＥＬガラス２００を透かす処理）が実行された場合に、ＥＬガラス２００の奥側で行われるシーソー動作制御処理による「シーソー動作」に対比させることができます。 
　しかしながら、引用例１の「シーソー動作」は、構成要件（Ｃ）の「・・・予め定められた所定期間・・・」のような予め定められた期間実行されるものである、とは言えません（以下、相違点１Ａ）。また、引用例１の「シーソー動作」は、「シーソー動作」が終了される場合に、構成要件（Ｃ）の「・・・前記所定の演出を終了させるとともに前記透過手段が生じさせた前記第１状態を前記第２状態に切り替える・・・」のような「シーソー動作」を終了させるとともに「透過戻し処理」が実行されるものである、とも言えません（以下、相違点１Ｂ）。・・・
　（７−３）本願発明の作用効果 
　これに対して、本願発明は、透過手段によって第１状態（表示部の奥側を透過し易い状態）とされた場合に表示部の奥側にて行われる所定の演出が予め定められた所定期間行われるので、その所定の演出が終了される場合に、その所定期間の終了時まで行われている所定の演出の終了と、透過手段が生じさせた第１状態から第２状態（第１状態よりも表示部の奥側を透過し難い状態）へ切り替えることで、表示部へ識別情報を表示することとを、ともに行うことができます。その結果、所定の演出の終了と、透過手段が生じさせた第１状態から第２状態へ切り替えることで、表示部へ識別情報を表示することとが、ともに行われているという印象を遊技者に与えることができます。これにより、遊技者は、単に所定の演出が終了したという印象だけでなく、透過手段が生じさせた第１状態が第２状態に切り替わって、表示部に識別情報が表示されたという印象をともに持ちますので、所定の演出の終了を遊技者に強く印象付けることができます。 
　（７−４）小括 
　したがいまして、相違点１Ａ及び相違点１Ｂに関して、本願発明の構成要件（Ｃ）に相当する構成は、引用例１に開示されておらず、引用例１の開示事項から容易に想起されるとは言えないものと思料します。」 
　そこで、上記主張について検討する。
　ア　相違点１Ａについて、上記（２）（Ｃ−２）において検討したように、「透過処理を行」った状態で、「ＥＬガラス２００越しに大入賞装置１００にて構成される入賞振分可動板１１０の処理を把握可能とし」ていることは、本件補正発明の「前記表示部の奥側にて所定の演出を行」うことに相当する。
　また、上記（３）における判断のとおり、「表示部の奥側で所定の演出を行う」「所定の時間」について、刊行物記載の発明における、「透過処理を行」ってから「全ての処理を終了させ」るまでの時間に替えて、「予め定められた所定期間が経過」するまでの間とすることで、上記相違点に係る本件補正発明の構成とすることは当業者ならば容易になしえたものである。
　イ　相違点１Ｂについて、上記（２）（Ｃ−４）において対比したとおり、本件補正発明の「前記所定の演出を終了させる」「とともに」「前記透過手段が生じさせた前記第１状態を前記第２状態に切り替える」ということについて、刊行物記載の発明は「透明度が高まったＥＬガラス２００に再び画像を表示するＥＬガラス２００の透過戻し処理を図柄制御装置６１を介して実行し（Ｓ２１２）、ＥＬガラスの透過戻し処理を実行」することで「大入賞装置１００を図柄表示装置１７の後方に隠蔽」し、大入賞装置１００にて構成される遊技球処理部材に基づく遊技球の処理が把握ができなくなるが、これは本件補正発明同様に「前記所定の演出を終了させるとともに前記透過手段が生じさせた前記第１状態を前記第２状態に切り替える」処理であるといえる。
　ウ　本願発明の作用効果について、上記（２）（Ｃ−４）において対比したとおり、刊行物記載の発明における「透明度が高まったＥＬガラス２００に再び画像を表示するＥＬガラス２００の透過戻し処理を図柄制御装置６１を介して実行し（Ｓ２１２）、ＥＬガラスの透過戻し処理を実行し、大入賞装置１００を図柄表示装置１７の後方に隠蔽する」ことは、本件補正発明の「前記所定の演出が終了される場合に」、「前記所定の演出を終了させるとともに前記透過手段が生じさせた前記第１状態を前記第２状態に切り替えることで、前記表示部に前記識別情報を表示させる」ことに相当することから、本件補正発明同様に、「所定の演出の終了と、透過手段が生じさせた第１状態から第２状態へ切り替えることで、表示部へ識別情報を表示することとが、ともに行われているという印象を遊技者に与えることができ」、「これにより、遊技者は、単に所定の演出が終了したという印象だけでなく、透過手段が生じさせた第１状態が第２状態に切り替わって、表示部に識別情報が表示されたという印象をともに持ち」、「所定の演出の終了を遊技者に強く印象付けることができ」るといえる。
　ア〜ウのとおりであるから審判請求人の主張は採用できない。
　（５）小括
　したがって、本件補正発明は、刊行物記載の発明に基づき当業者が容易に発明をすることができたものであるから、特許法第２９条第２項の規定により特許出願の際独立して特許を受けることができないものである。
　４．むすび
　よって、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について
　１．本願発明
　本件補正は上記のとおり却下されたので、本願の請求項１に係る発明は、平成２７年１月６日付けの手続補正書により補正された、特許請求の範囲の請求項１に記載された事項により特定されるところ、その請求項１に係る発明（以下、「本願発明」という）は、上記第２の１．において記載した次のとおりのものである。
「【請求項１】
　識別情報が表示される表示部を備える遊技機において、
　前記表示部の奥側を透過し易い第１状態と、当該第１状態よりも前記表示部の奥側を透過し難い第２状態とを生じさせる透過手段と、
　該透過手段によって前記第１状態とされた場合に、所定期間前記表示部の奥側にて所定の演出を行い、前記所定の演出が終了される場合に、前記所定期間の終了時まで行われている前記所定の演出を終了させるとともに前記透過手段が生じさせた前記第１状態を前記第２状態に切り替えることで、前記表示部に前記識別情報を表示させる手段と、を備える
　ことを特徴とする遊技機。」
　２．拒絶理由通知の概要
　平成２７年９月２日付け拒絶理由通知は、本願発明は、上記刊行物である特開２００４−１０５２９６号公報に記載の発明であるか、または刊行物記載の発明に基づいて当業者が容易に発明をすることができたものであるから、特許法第２９条第１項第３号の規定または特許法第２９条第２項の規定により特許を受けることができないというものである。
　３．刊行物記載の発明
　刊行物記載の発明の認定は前記「第２　平成２８年８月５日付けの手続補正についての補正却下の決定」の「３．独立特許要件」に記載したとおりである。 
　４．対比・判断
　本願発明は、本件補正発明における「前記表示部の奥側にて所定の演出を行」う「所定期間」について、前記第２の２．に記載したように「所定期間」から「予め定められた」という限定を削除したものである。
　そうすると、本願発明の構成要件をすべて含み，さらに他の限定を付加したものに相当する本件補正発明が、前記第２に記載したとおり、刊行物記載の発明に基づき当業者が容易に発明をすることができたものであるから、本願発明も同様の理由により、刊行物記載の発明に基づいて当業者が容易に発明をすることができたものである。
　５．むすび 
　以上のとおり、本願発明は、刊行物記載の発明に基づいて当業者が容易に発明をすることができたものであるから、特許法第２９条第２項の規定により特許を受けることができない。
　したがって、その余の請求項について検討するまでもなく、本願は拒絶されるべきものである。
　よって，結論のとおり審決する。